(57)【要約】【課題】電子ビームの制御に利用される偏向ヨーク装置において、垂直偏向磁界を補正する磁性体を取り付けたとき、垂直磁界の影響により磁性体が振動して生じるうなり音を低減するとともに磁性体の汎用性を高める。【解決手段】この発明の偏向ヨーク装置は、偏向コイルを保持する絶縁体１３と、少なくとも一部が絶縁体に食い込むことのできる形状が与えられた突起部１２を有し、絶縁体に所定の間隔で取り付けられる磁性体１１と、を有する。【選択図】図２
2006185681.tif 000002
【特許請求の範囲】
【請求項１】
偏向コイルを保持する絶縁体と、
少なくとも一部が前記絶縁体に食い込むことのできる形状が与えられた突起部を有し、前記絶縁体に所定の間隔で取り付けられる磁性体と、
を有することを特徴とする偏向ヨーク装置。
【請求項２】
前記磁性体の前記突起部は、前記絶縁体との間の間隔を維持可能に、少なくとも前記磁性体の端部に設けられることを特徴とした請求項１記載の偏向ヨーク装置。
【請求項３】
前記磁性体の前記突起部は、前記絶縁体との間の間隔を維持可能に、前記磁性体の端部とは異なる複数の領域に設けられることを特徴とした請求項２記載の偏向ヨーク装置。
【請求項４】
偏向コイルを保持する絶縁体と、
少なくとも一部が前記絶縁体に食い込むことのできる形状が与えられた突起部を有し、前記絶縁体に所定の間隔で取り付けられる磁性体と、
前記絶縁体と前記磁性体との間に設けられた緩衝部材と、
を有することを特徴とする偏向ヨーク装置。
【請求項５】
前記緩衝部材は、接着剤でなり、硬化後も所定の弾性が維持されることを特徴とする請求項４記載の偏向ヨーク装置。
【請求項６】
偏向コイルを保持する絶縁体と、
少なくとも一部が前記絶縁体に食い込むことのできる形状が与えられた突起部を有し、前記絶縁体に所定の間隔で取り付けられ、前記偏向コイルの垂直偏向磁界を補正する磁界補正装置の一部として機能する磁性体と、
前記絶縁体に設けられ、前記磁性体を絶縁体側に押圧するように保持するする保持部と、
を有することを特徴とする偏向ヨーク装置。
【請求項７】
前記絶縁体の所定の位置には、前記保持部と協働して前記磁性体の振動を抑制する固定部がさらに設けられていることを特徴とする請求項６記載の偏向ヨーク装置。
【発明の詳細な説明】
【技術分野】
【０００１】
この発明は、陰極線管（ＣＲＴ）において、電子ビームの制御に利用される偏向ヨーク装置に係り、特に垂直偏向コイルからの磁界の影響により磁性体が振動して生じるうなり音を低減可能な偏向ヨーク装置に関する。
【背景技術】
【０００２】
陰極線管装置は、電子ビームを放出する電子銃を備えた陰極線管と、この陰極線管の電子ビームを所定の方向に偏向する水平偏向磁界ならびに垂直偏向磁界を発生する水平偏向コイルおよび垂直偏向コイルと、垂直偏向コイルからの磁界を補正する磁界補正装置を配設した偏向ヨーク装置とを有する。
【０００３】
偏向ヨーク装置は、例えば樹脂モールドにより形成された絶縁性部材と、その絶縁性部材の内側に取付けられる水平偏向コイルと、絶縁性部材の外側に取付けられる垂直偏向コイルと、絶縁性部材の外周の所定の位置に設けられる磁性体を含む。
【０００４】
前記磁性体は、垂直偏向磁界を補正するために利用されるが、自身に作用する磁力線（磁界）により振動することで、うなり音を発生することが知られている。このような背景から、磁性体を絶縁性部材に固定するための種々の提案がある。
【０００５】
例えば、特許文献１には、絶縁枠の表面に棒状突起物を形成し、磁性体側には切り欠き部を形成して、切り欠き部を突起部に冠入させることにより、磁性体を絶縁部に固定した偏向ヨーク装置が示されている。特許文献１では、切り欠き部を突起部に冠入させることにより、相反する応力が発生し、横方向の磁性体の振動が弱められる、と記載がある。
【特許文献１】特開平８−６４１５６号公報
【発明の開示】
【発明が解決しようとする課題】
【０００６】
しかしながら、特許文献１に記載の偏向ヨーク装置では、絶縁枠の表面に棒状突起物を形成する必要が生じる。また、当初は、振動の抑制効果が期待できるが、偏向ヨーク自体の発熱と時間の経過により絶縁部が硬化し、または収縮することにより、磁性体への相反する応力の効果が持続できなくなる問題がある。
【０００７】
この発明の目的は、コイルからの磁界の影響により磁性体が振動して生じるうなり音を低減可能な偏向ヨーク装置を提供するとともに磁性体の汎用性を高めることである。
【課題を解決するための手段】
【０００８】
この発明は、上記問題点に基づきなされたもので、偏向コイルを保持する絶縁体と、少なくとも一部が前記絶縁体に食い込むことのできる形状が与えられた突起部を有し、前記絶縁体に所定の間隔で取り付けられる磁性体と、を有することを特徴とする偏向ヨーク装置、を提供するものである。
【０００９】
またこの発明は、上記問題点に基づきなされたもので、偏向コイルを保持する絶縁体と、少なくとも一部が前記絶縁体に食い込むことのできる形状が与えられた突起部を有し、前記絶縁体に所定の間隔で取り付けられる磁性体と、前記絶縁体と前記磁性体との間に設けられた緩衝部材と、を有することを特徴とする偏向ヨーク装置、を提供するものである。
【００１０】
さらにこの発明は、上記問題点に基づきなされたもので、偏向コイルを保持する絶縁体と、少なくとも一部が前記絶縁体に食い込むことのできる形状が与えられた突起部を有し、前記絶縁体に所定の間隔で取り付けられ、前記偏向コイルの垂直偏向磁界を補正する磁界補正装置の一部として機能する磁性体と、前記絶縁体に設けられ、前記磁性体を絶縁体側に押圧するように保持するする保持部と、を有することを特徴とする偏向ヨーク装置、を提供するものである。
【発明の効果】
【００１１】
本発明によれば、磁界補正装置として配設された磁性体が磁界（磁力線）の影響により振動して生じるうなり音を低減でき、しかも磁性体の汎用性を高めることが可能である。これにより、偏向ヨーク装置のコストも低減される。
【発明を実施するための最良の形態】
【００１２】
以下、図面を参照して、この発明の実施の形態について詳細に説明する。
【００１３】
図１は、本発明の実施形態が適用される偏向ヨーク装置を概略的に示す。
【００１４】
図１に示す偏向ヨーク装置１は、陰極線管（ＣＲＴ）の図示しない真空容器のネック部に固定される絶縁体１３と、絶縁体１３の近傍に設けられるさまざまな要素を有する。
【００１５】
絶縁体１３は、例えば樹脂モールド（成型）等により、概ね円錐台状に形成される。
【００１６】
絶縁体１３の内側の所定位置には、水平偏向磁界を発生する水平偏向コイル１５が取り付けられ、外周には垂直偏向磁界を発生する垂直偏向コイル１６が取り付けられている。なお、１７はフェライト等でなるコアであり、コア１７に垂直偏向コイル１６が巻回されている。なお、水平偏向コイル１５および垂直偏向コイル１６は、絶縁体１３を介して図示しない陰極線管のネック部に固定されることで、図示しない電子銃からの電子ビームを所定の方向に偏向する。また、絶縁体１３の外周には、垂直偏向コイル１６の磁界を補正するため、磁性体１１が、配設されている。
【００１７】
磁性体１１は、絶縁体１３の所定の位置、すなわち絶縁体１３の外周面に対称的に配置され、絶縁体１３と垂直偏向コイル１６の間にあり、陰極線管のネック部側に配置されている。即ち、絶縁体１３は、図１の左半分を断面図で示し、右半分は要部を断面で示し、陰極線管のネック部（図１では上側）から陰極線管のコーン部（図１では下側）に向けて径が拡大する形状を有し、絶縁体１３のネック部側の外周にそれぞれ磁性体１１が対称的に固定されている。
【００１８】
なお、磁性体１１は、磁性体１１に作用する磁界の影響により自己振動することがあり、このため接触している（固定されている）絶縁体１３との間の共振により、うなり音が生じることが知られている。この対策として、磁性体１１を強固に固定する、あるいは絶縁体１３と磁性体１１とが接する接触面積を減らすことが有効であることが確認されている。
【００１９】
本発明の磁性体１１は、例えば所定の比率で珪素が添加された鋼板（珪素鋼板）であり、所定の透磁率を示す。
【００２０】
磁性体１１は、図２（ａ）および図２（ｂ）に示すように、絶縁体１３の外周面の曲面に沿って規定された曲面状（板状）に形成され、端縁部が、鋸歯状（例えば三角形）に折り曲げられた複数の突起部１２を有する。尚、図２（ａ）は磁性体１１の側面図であり、（ｂ）は端縁部側から見た図である。
【００２１】
突起部１２は、磁性体１１を展開した状態で、例えば４隅に形成される。なお、突起部１２の個数は、絶縁体（樹脂モールド）１３および磁性体１１の大きさに基づいて、任意の数だけ形成されることは言うまでもない。
【００２２】
磁性体１１は、その突起部１２が図３（ａ）および図３（ｂ）に示す通り、絶縁体１３の所定の位置に、一定量、食い込む状態で、絶縁体１３に固定される。なお、突起部１２を絶縁体１３に食い込ませて固定する際に、図示しない接着剤を用いても良い。
【００２３】
突起部１２が絶縁体１３に食い込む食い込み量は、磁性体１１の大きさや絶縁体１３の外周面の形状に関連するが、例えば、絶縁体１３と磁性体１１との間に、全域で、磁性体１１の厚み（板厚）分の隙間が確保できる程度に規定される。また、突起部１２が絶縁体１３に食い込む食い込み量を規定するため、図３（ｃ）に示すような段差部１２ａが突起部１２の先端に設けられてもよい。
【００２４】
図２および図３に示した通り、突起部１２が複数設けられた磁性体１１を、突起部１２が絶縁体１３に所定量食い込んだ状態で固定することにより、磁性体１１が振動しても、その振動が絶縁体（樹脂モールド）１３に伝わり難くなり、うなり音が低減できる。
【００２５】
うなり音の実測値を一例として示すと、従来の一般的な磁性体（突起部がないもの）を使用した場合では、うなり音が５２ [dB]であったのに対し、本発明の磁性体１１を使用した場合には、５０ [dB]に低減することができ、概ね２ [dB] 改善されたことが認められている。
【００２６】
図４は、磁性体１１に設けられる突起部１２の別の実施形態を示す。
【００２７】
絶縁体１３および磁性体１１は、前に説明した通り、その大きさに支配されるものの、突起部１２が端部のみに設けられる場合、振動しやすくなることは、容易に理解される。また、磁性体１１と絶縁体１３との間の間隔が不均一となる部分が生じやすくなることが予測される。従って、図４に示すように、磁性体１１の端部以外の任意の位置に、突起部１２がさらに設けられてもよいことはいうまでもない。
【００２８】
図４に示したように、突起物１２を、磁性体１１の端部とは異なる中央部側面にも設けることにより、磁性体１１は、絶縁体１３と強固に固定されることから、磁性体１１が不所望に振動することが低減される。また、磁性体１１が振動した場合に、絶縁体１３と接触することが抑止される。
【００２９】
図５は、磁性体１１を絶縁体１３に固定する別の実施形態を示す。
【００３０】
図５に示すように、絶縁体１３と磁性体１１の間の隙間に、接着剤（緩衝部材）１４を塗布することにより、磁性体１１は、絶縁体１３と強固に固定される。なお、接着剤１４としては、例えばシリコーン系や（硬化後も一定の弾性が残存する）弾性接着剤等が好ましい。すなわち、接着剤の種類を好適に選択することにより、接着強度を維持しながら、磁性体１１が振動したとしても、その振動が増幅され、もしくは絶縁体１３と共振して、うなり音となることを抑止できる。
【００３１】
図６は、磁性体１１を絶縁体１３に固定するさらに別の実施形態を示す。
【００３２】
図６に示すように、絶縁体１３に、磁性体１１を支持する鉤状の取り付け部（保持部）１８を形成することで、磁性体１１が（絶縁体１３に）強固に固定される。なお、鉤状の取り付け部１８と絶縁体１３との間の間隔は、磁性体１１の厚み（板厚）よりも僅かに狭いことが好ましい。すなわち、磁性体１１が、鉤状の取り付け部１８と絶縁体１３との間の隙間に、圧入状態で装着されることで、磁性体１１が、（磁界の影響により）振動することが防止される。
【００３３】
図６に示すように、鉤状の取り付け部１８には、磁性体１１から矢印「Ｂ」の方向の力が働き、磁性体１１にはそれと逆の矢印Ａの方向の力が働く。すなわち、この相反する力により、磁性体１１は、絶縁体１３に強固に固定される。
【００３４】
図７は、磁性体１１を絶縁体１３に固定するまたさらに別の実施形態を示す。
【００３５】
図７に示すように、絶縁体１３に、磁性体１１を支持する鉤状の取り付け部１８と対向する側に、固定部１９をさらに設けることで、磁性体１１が（絶縁体１３に）強固に固定される。
【００３６】
なお、図７に示す構成においても、鉤状の取り付け部１８と磁性体１１とに、相反する力が作用することから、磁性体１１は、絶縁体１３に強固に固定される。
【００３７】
以上説明した通り、本発明の実施形態においては、絶縁体すなわち樹脂モールド部材に固定される磁性体を、磁性体と絶縁体との間に隙間または硬化時に弾性が残存する接着剤を介在させ、もしくは互いに相反する力を提供可能な保持機構により保持する構造としたことにより、磁性体が振動して生じるうなり音が低減可能な偏向ヨーク装置が得られる。
【００３８】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００３９】
【図１】本発明の実施形態が適用される偏向ヨーク装置の一例を示す概略断面図。
【図２】図１に示す偏向ヨーク装置の絶縁体に固定される磁性体の形状の特徴を説明する概略図。
【図３】図２に示した磁性体と絶縁体とを固定する状態の一例を説明する概略図。
【図４】図２に示した磁性体の別の実施形態の一例を説明する概略図。
【図５】図１に示した偏向ヨーク装置の絶縁体に磁性体を固定する別の例を説明する概略図。
【図６】図１に示した偏向ヨーク装置の絶縁体に磁性体を固定するさらに別の一例を説明する概略図。
【図７】図１に示した偏向ヨーク装置の絶縁体に磁性体を固定するまたさらに別の一例を説明する概略図。
【符号の説明】
【００４０】
１…偏向ヨーク装置、１１…磁性体、１２…（鋸歯状の）突起物、１３…絶縁体、１４…接着剤、１５…水平偏向コイル、１６…垂直偏向コイル、１７…コア、１８…鉤状の取り付け部、１９…固定部。
【図１】
2006185681.tif 000003
【図２】
2006185681.tif 000004
【図３】
2006185681.tif 000005
【図４】
2006185681.tif 000006
【図５】
2006185681.tif 000007
【図６】
2006185681.tif 000008
【図７】
2006185681.tif 000009
【手続補正書】
【提出日】平成18年1月20日(2006.1.20)
【手続補正１】
【補正対象書類名】図面
【補正対象項目名】図１
【補正方法】変更
【補正の内容】
【図１】
2006185681.tif 000010